(57)【要約】      （修正有）【課題】ボールねじのサイドキャップを提供する。【解決手段】ボールねじのサイドキャップは第一還流部材３０および第二還流部材４０を備える。第一還流部材３０は第一嵌合部３５を有する。第二還流部材４０は第二嵌合部４４および第二嵌合部４４に形成された嵌合溝４８を有する。第一還流部材３０および第二還流部材４０は第一嵌合部３５および第二嵌合部４４が嵌り合うことによって結合する。嵌合溝４８の長さＬおよび嵌合溝４８の高さＨの関係は数式１．５≦Ｌ／Ｈ＜４．５で表示される。上述した構造により、本考案によるボールねじのサイドキャップは第一還流部材３０と第二還流部材４０の組み合わせを妨害する程度を低減し、第一還流部材３０と第二還流部材４０を組み合わせる速度を上げることができる。【選択図】図４
0003217590.tif 000002
【実用新案登録請求の範囲】
【請求項１】
第一還流部材および第二還流部材を備え、
前記第一還流部材は、第一還流部および第一嵌合部を有し、前記第一還流部は第一還流溝を有し、前記第一嵌合部は前記第一還流部と連結されて一体になり、
前記第二還流部材は、第二還流部および第二嵌合部を有し、前記第二還流部は前記第一還流部材の前記第一還流部に分離できるように配置され、第二還流溝を有し、前記第二還流溝および前記第一還流部材の前記第一還流部の前記第一還流溝は相互に対応して還流路を構成し、前記第二嵌合部は前記第二還流部と連結されて一体になり、前記第二還流部との間に形成された嵌合溝を有し、前記嵌合溝と前記第一還流部材の前記第一嵌合部とは相互に分離できるように嵌合され、
前記嵌合溝の長さＬおよび前記嵌合溝の高さＨの関係は、
[数式１]  １．５≦Ｌ／Ｈ＜４．５
で表示されることを特徴とする、
ボールねじのサイドキャップ。
【請求項２】
前記第二嵌合部は、側壁、辺壁および嵌合壁を有し、前記側壁および前記辺壁は前記第二還流部と連結されて一体になり、前記嵌合壁は前記側壁および前記辺壁と連結されて一体になり、前記第一還流部材の前記第一嵌合部に当接し、前記嵌合溝は前記側壁、前記辺壁および前記嵌合壁から囲まれて形成されることを特徴とする請求項１に記載のボールねじのサイドキャップ。
【請求項３】
前記嵌合溝の長さは前記嵌合壁の自由端と前記辺壁との間の最短距離に等しく、前記嵌合溝の高さは前記嵌合壁と前記第二還流部との間の最短距離に等しいことを特徴とする請求項２に記載のボールねじのサイドキャップ。
【請求項４】
前記嵌合壁は前記嵌合溝に向かう第一側面および前記嵌合溝に背を向ける第二側面を有し、前記第一側面と前記第二側面との間の最短距離が前記嵌合溝の前記高さに等しいことを特徴とする請求項２または請求項３に記載のボールねじのサイドキャップ。
【請求項５】
前記第一還流部材はさらにストッパーを有し、前記ストッパーは前記第一還流部および前記第一嵌合部と連結されて一体になり、前記第二還流部材の前記第二嵌合部の前記嵌合壁は前記第一還流部材の前記ストッパーに当接することを特徴とする請求項２に記載のボールねじのサイドキャップ。
【考案の詳細な説明】
【技術分野】
【０００１】
本考案はボールねじに関し、詳しくはボールねじのサイドキャップに関するものである。
【背景技術】
【０００２】
ボールねじはねじとナットとの間をボールが転動することによって高精度線形伝動効果を果たす。ボールの転動および循環を持続させるため、ボールねじはナット内にボールの循環径路に応じて還流ユニットとして配置したサイドキャップを有する。
【０００３】
先行技術において、特許文献１により掲示されたサイドキャップは第一還流部材および第二還流部材を有する。第一還流部材および第二還流部材は第一嵌合部および第二嵌合部を組み合わせることによって結合し、凸状固定部および凹状固定溝を嵌め合わせることによって固定される。
特許文献１において、嵌り合う第一還流部材および第二還流部材の逸脱を抑制するには、第一還流部材の第一嵌合部および第二還流部材の第二嵌合部の相互に対応する長さが足りなければならない。しかしながら、射出成型によって製作された第二還流部材は長さが大き過ぎ、末端部が下へ傾いているため、第一嵌合部と第二嵌合部の組み合わせを妨害する程度が大きいだけでなく、構造を損壊させてしまう可能性がある。
【先行技術文献】
【特許文献】
【０００４】
【特許文献１】台湾実用新案Ｍ５０２０８号公報
【考案の概要】
【考案が解決しようとする課題】
【０００５】
本考案は、製造工程が完了した後、構造の変形を抑制し、組み立てを妨害する程度を低減し、組み立ての速度を上げることができるボールねじのサイドキャップを提供することを主な目的とする。
【課題を解決するための手段】
【０００６】
上述した課題を解決するためのボールねじのサイドキャップは第一還流部材および第二還流部材を備える。第一還流部材は第一還流部および第一嵌合部を有する。第一還流部は第一還流溝を有する。第一嵌合部は第一還流部と連結されて一体になる。第二還流部材は第二還流部および第二嵌合部を有する。第二還流部は第一還流部材の第一還流部に分離できるように配置され、第二還流溝を有する。第二還流部材の第二還流部の第二還流溝および第一還流部材の第一還流部の第一還流溝は相互に対応して還流路を構成する。第二嵌合部は第二還流部と連結されて一体になり、第二還流部との間に形成された嵌合溝を有する。第二還流部材の嵌合溝と第一還流部材の第一嵌合部とは相互に分離できるように嵌合される。嵌合溝の長さＬおよび嵌合溝の高さＨの関係は数式１で表示される。
【０００７】
【数１】
0003217590.tif 000003
【０００８】
上述したとおり、本考案によるボールねじのサイドキャップは数式１に基づいて設計した嵌合溝によって、製造工程が完了した後の第二還流部材の構造が崩れることを抑制し、第一還流部材と第二還流部材の組み合わせを妨害する状態を適宜な程度に維持し、組み立ての速度を上げ、構造の損壊を避けることができる。
【０００９】
比較的好ましい場合、第二嵌合部は側壁、辺壁および嵌合壁を有する。側壁および辺壁は第二還流部と連結されて一体になる。嵌合壁は側壁および辺壁と連結されて一体になり、第一還流部材の第一嵌合部に当接する。嵌合溝は側壁、辺壁および嵌合壁から囲まれる。嵌合溝の長さは嵌合壁の自由端と辺壁との間の最短距離に等しい。嵌合溝の高さは嵌合壁と第二還流部との間の最短距離に等しい。
【００１０】
比較的好ましい場合、嵌合壁は嵌合溝に向かう第一側面および嵌合溝に背を向ける第二側面を有し、第一側面と第二側面との間の最短距離が嵌合溝の高さに等しい。上述した構造により、第一還流部材と第二還流部材との間を締めたり緩めたりする具合を良好に維持することができる。
【００１１】
比較的好ましい場合、第一還流部材はさらにストッパーを有する。ストッパーは第一還流部と連結されて一体になり、第一嵌合部に接するように配置される。第二還流部材の第二嵌合部の嵌合壁は第一還流部材のストッパーに当接する。
【００１２】
本考案によるボールねじのサイドキャップの詳細な構造、特徴、組み立てまたは使用方法について、以下の実施形態の詳細な説明を通して明確にする。
以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１３】
【図１】本考案の一実施形態によるサイドキャップを使用したボールねじを示す斜視図である。
【図２】本考案の一実施形態によるサイドキャップを使用したボールねじを示す分解斜視図である。
【図３】本考案の一実施形態によるサイドキャップを示す斜視図である。
【図４】本考案の一実施形態によるサイドキャップを示す分解斜視図である。
【図５】本考案の一実施形態によるサイドキャップを示す別の分解斜視図である。
【図６】本考案の一実施形態によるサイドキャップを示す正面図である。
【図７】図６中の７−７線に沿った断面図である。
【考案を実施するための形態】
【００１４】
以下、本考案によるボールねじのサイドキャップを図面に基づいて説明する。図中の同じ符号は同じ部品または類似した部品またはその構造特徴を表示する。
【００１５】
（一実施形態）
図１および図２に示すように、ボールねじ１０はねじ１２、ナット１４および複数のボール１８を備える。ナット１４は両端に装着溝１６を別々に有する。本考案の一実施形態によるサイドキャップ２０は一つのボールねじ１０ごとに数が二つであり、かつ一対一方式でナット１４の装着溝１６内に配置される。
【００１６】
図３、図５および図７に示すように、本考案の一実施形態によるサイドキャップ２０は第一還流部材３０および第二還流部材４０を備える。
【００１７】
第一還流部材３０は、第一還流部３１、第一嵌合部３５およびストッパー３６を有する。第一還流部３１は円弧状に伸びる第一還流溝３２、第一還流溝３２の相対する両側に別々に形成された凸状誘導部３３および凸状固定部３４を有する。第一嵌合部３５は第一還流部３１と連結されて一体になり、第一還流溝３２の曲がる箇所に位置付けられる。ストッパー３６は第一還流部３１および第一嵌合部３５と連結されて一体になる。
【００１８】
第二還流部材４０は、第二還流部４１および第二嵌合部４４を有する。第二還流部４１は円弧状に伸びる第二還流溝４２と、第二還流溝４２の側面に形成された凹状固定溝４３とを有する。第二嵌合部４４は第二還流部４１と連結されて一体になり、第二還流部４１との間に形成された嵌合溝４８を有する。詳しく言えば、第二嵌合部４４は側壁４５、辺壁４６および嵌合壁４７を有する。側壁４５および辺壁４６は第二還流部４１と連結されて一体になる。
嵌合壁４７は側壁４５および辺壁４６と連結されて一体になる。嵌合溝４８は側壁４５、辺壁４６および嵌合壁４７から囲まれて形成される。図７に示すように、嵌合壁４７は嵌合溝４８に向かう第一側面４７２および嵌合溝４８に背を向ける第二側面４７４を有し、第一側面４７２と第二側面４７４との間の最短距離Ｄ（即ち嵌合壁４７の高さ）が嵌合溝４８の高さＨに等しい。
【００１９】
上述したとおり、図３から図６に示すように、第一還流部材３０および第二還流部材４０は第一嵌合部３５が第二嵌合部４４の嵌合溝４８に嵌まり込むことによって結合し、凸状固定部３４が凹状固定溝４３に嵌まり込むことによって固定される。
続いて、第一還流部材３０のストッパー３６が第二還流部材４０の第二嵌合部４４の嵌合壁４７に当接すれば、組み立て作業が完了した後の第一還流溝３２と第二還流溝４２は相互に連結されて還流路４９を構成することができる。
【００２０】
【数２】
0003217590.tif 000004
【００２１】
組み立て作業が完了した後、第一還流部材３０および第二還流部材４０を締めたり緩めたりする具合を適宜に維持するには、嵌合溝４８の寸法を特別に設計する必要がある。詳しく言えば、図７に示すように、本実施形態において、嵌合溝４８の長さＬは嵌合壁４７の自由端と辺壁４６との間の最短距離に等しい。嵌合溝４８の高さＨは嵌合壁４７と第二還流部４１との間の最短距離に等しい。
両者の関係は数式１で表示される。Ｌ／Ｈが１．５より小さい、即ち第一嵌合部３５および嵌合溝４８を妨害する程度が十分ではない場合、製造工程が完了した後、結合して形を保つ第一還流部材３０および第二還流部材４０は運送過程において分離しやすいため、後続の装着作業に影響を与える。Ｌ／Ｈが１．５以上、即ち第一嵌合部３５および嵌合溝４８を妨害する程度が大き過ぎる場合、上述した先行技術と同じにナット１４に両者を装着しにくいという問題が発生する。従って、数式１によって第一嵌合部３５および嵌合溝４８を妨害する状態を適宜な程度に維持することができる。
【００２２】
上述したとおり、本考案によるサイドキャップ２０は数式１に基づいて設計した嵌合溝４８によって、製造工程が完了した後の第二還流部材４０の構造が崩れることを抑制し、第一還流部材３０と第二還流部材４０の組み合わせを妨害する状態を適宜な程度に維持し、組み立ての速度を上げ、構造の損壊を避けることができる。
【符号の説明】
【００２３】
１０  ボールねじ
１２  ねじ
１４  ナット
１６  装着溝
１８  ボール
２０  サイドキャップ
３０  第一還流部材
３１  第一還流部
３２  第一還流溝
３３  凸状誘導部
３４  凸状固定部
３５  第一嵌合部
３６  ストッパー
４０  第二還流部材
４１  第一還流部
４２  第二還流溝
４３  凹状固定溝
４４  第二嵌合部
４５  側壁
４６  辺壁
４７  嵌合壁
４７２  第一側面
４７４  第二側壁
４８  嵌合溝
４９  還流路
Ｄ  距離
Ｌ  長さ
Ｈ  高さ
【図１】
0003217590.tif 000005
【図２】
0003217590.tif 000006
【図３】
0003217590.tif 000007
【図４】
0003217590.tif 000008
【図５】
0003217590.tif 000009
【図６】
0003217590.tif 000010
【図７】
0003217590.tif 000011